(57)【要約】      （修正有）【課題】蛍光灯の点灯器具への取付け時に、蛍光灯のソケットに対する長手鉛直方向位置の位置合わせを適切に行うことで、蛍光灯の端子をソケットに地上から容易かつ簡単に接続することができる蛍光灯交換装置を提供する。【解決手段】蛍光灯交換装置１は、交換装置本体１０と、蛍光灯Ａの点灯器具への取付け及び蛍光灯Ａの点灯器具からの取外しを行う取付け取外し機構２０とを備える。取付け取外し機構２０は、交換装置本体１０に取付けられた取付け部材２１の長手鉛直部分２１ｂに設けられた支持部２５に上下動可能に取り付けられ、蛍光灯Ａの取付け時に割り込み部材２２が蛍光灯Ａと点灯器具のソケットとの間に割り込む前に、蛍光灯Ａの中心軸の長手鉛直方向位置をソケットの中心軸の長手鉛直方向位置に位置合わせする長手鉛直方向位置決め部材２４を備える。【選択図】図１
0003232575.tif 000002
【実用新案登録請求の範囲】
【請求項１】
蛍光灯を点灯器具に取付け及び取外しする時に使用する蛍光灯交換装置であって、
操作杆、該操作杆の上端側に設けられ、前記蛍光灯を把持する蛍光灯把持部、及び該蛍光灯把持部を遠隔操作する把持部操作部を有する交換装置本体と、該交換装置本体の前記蛍光灯把持部に固定され、前記蛍光灯の前記点灯器具への取付け及び前記蛍光灯の前記点灯器具からの取外しを行う取付け取外し機構とを備え、
該取付け取外し機構は、前記蛍光灯把持部に固定された前記蛍光灯の長手方向に延びる長手部分及び該長手部分から長手鉛直方向に延びる長手鉛直部分を有する取付け部材と、該取付け部材の長手部分に回転可能に取付けられ、前記蛍光灯の取付け時及び取外し時に前記蛍光灯と前記点灯器具のソケットとの間に割り込む割り込み部材と、該割り込み部材に連結されて前記割り込み部材の回転を遠隔操作する操作部材と、前記取付け部材の長手鉛直部分に設けられた支持部に上下動可能に取り付けられ、前記蛍光灯の取付け時に前記割り込み部材が前記蛍光灯と前記点灯器具のソケットとの間に割り込む前に、前記蛍光灯の中心軸の長手鉛直方向位置を前記ソケットの中心軸の長手鉛直方向位置に位置合わせする長手鉛直方向位置決め部材とを備えることを特徴とする蛍光灯交換装置。
【請求項２】
前記長手鉛直方向位置決め部材は、前記点灯器具のソケットホルダの外形と相補的な形状を有する上側が開いたガイド用開口を形成した第１板部分と、該第１板部分から下方に延び、前記支持部に上下動可能に支持される第２板部分とを備え、前記第１板部分に形成された前記ガイド用開口を前記ソケットホルダの外形に沿わせて案内することで、前記蛍光灯の中心軸の長手鉛直方向位置を前記ソケットの中心軸の長手鉛直方向位置に位置合わせすることを特徴とする請求項１に記載の蛍光灯交換装置。
【請求項３】
前記支持部に、前記長手鉛直方向位置決め部材の前記第２板部分を常時上方に向けて付勢するばね部材を取り付けたことを特徴とする請求項２に記載の蛍光灯交換装置。
【請求項４】
前記取付け部材の長手鉛直部分に、前記蛍光灯の取付け時及び取外し時に前記蛍光灯の長手方向における前記交換装置本体及び前記取付け取外し機構の位置を位置決めする長手方向位置決め部材を設けたことを特徴とする請求項１乃至３のうちいずれか一項に記載の蛍光灯交換装置。
【請求項５】
前記長手方向位置決め部材は、前記蛍光灯の口金部分の外形と相補的な形状を有する上側が開いた開口を形成した板部材で構成され、前記開口を前記口金部分に沿わせて案内して前記板部材を前記蛍光灯のガラス部分と前記口金部分との段差に当接することによって、前記蛍光灯の長手方向における前記交換装置本体及び前記取付け取外し機構の位置を位置決めすることを特徴とする請求項４に記載の蛍光灯交換装置。
【考案の詳細な説明】
【技術分野】
【０００１】
本考案は、蛍光灯を点灯器具に取付け及び取外しする際に使用する蛍光灯交換装置に関する。
【背景技術】
【０００２】
従来より、天井などの高所に配設された点灯器具に蛍光灯を取付けたり、取外したりする際には、作業者がはしごや脚立等を用いて高所に上り、危険な作業をしている。
この不都合に対して、脚立等を使用することなく、高所に配設された点灯器具に遠隔操作により蛍光灯を取付けたり、取外したりする蛍光灯交換装置が、従来、例えば、特許文献１乃至４に提案されている。
【０００３】
特許文献１に示す蛍光灯交換具は、棒状の柄部材と、柄部材の上端に設けられた蛍光灯把持部と、蛍光灯把持部から所定方向にすれた位置に設けられた回転可能な舌状部とを有している。そして、舌状部を蛍光管の端部とソケット部との間に挿入し、舌状部を回転させると、舌状部により蛍光管の端部とソケット部との間が拡げられ、蛍光管の電極をソケット部から抜け出させることができる。
【０００４】
また、特許文献２に示す蛍光灯交換装置は、先端が二股に分岐された杆体と、この杆体の先端に設けられたソケットの押動部と、この押動部の近傍に設けられた蛍光灯の挟持部と、押動部と挟持部にそれぞれ連結され、押動部と挟持部を遠隔操作する引張手段とを備えている。
特許文献２に示す蛍光灯交換装置によれば、蛍光灯をソケットに着脱する際、押動部のレバー先端に設けたピンが、ソケットの内側に当接し、蛍光灯を介して他方側のソケットを押動するので、従来のように杆体で蛍光灯を一方のソケットに押し付けるものに比し、作動が確実であるとともに、その位置決めも容易であり、かつ安全性と操作性、並びに作業能率の向上を図ることができる。
【０００５】
また、特許文献３に示す蛍光灯交換具は、直線状の蛍光管の長手方向の両端の端面からそれぞれ長手方向に延びる一対の端子を備えた蛍光灯の一対の端子を蛍光灯が装着された蛍光灯器具の端子コネクタ部から脱着する際に用いるものである。
特許文献３に示す蛍光灯交換具によれば、構造が単純で簡単に製造できる蛍光灯交換具を提供することができる。
【０００６】
また、特許文献４に示す蛍光灯脱着具は、直管の蛍光灯を点灯器具に脱着する際に使用するものであり、操作杆と、操作杆の上端部に設けられる脱着機構と、操作杆の下端側に設けられる操作機構とを備えている。そして、脱着機構は、蛍光灯を受け止める蛍光灯受け部を有する蛍光灯支持体と、開閉操作可能な把持部と、揺動操作可能な割り込み具および口金ストッパーを有している。また、操作機構は、把持部の操作部と割り込み具の操作部とを備えている。
【０００７】
特許文献４に示す蛍光灯脱着具によれば、直管の蛍光灯を点灯器具に脱着する際には、蛍光灯を蛍光灯受け部と把持部により確実に支持しつつ、割り込み具で点灯器具側のソケットを移動させて蛍光灯の脱着を行い、蛍光灯の脱落などの危険がなく安全に蛍光灯を脱着できる。
【先行技術文献】
【特許文献】
【０００８】
【特許文献１】特開平９−５７６４４号公報
【特許文献２】特開平９−１４７７９３号公報
【特許文献３】特開２００１−１３８２６０号公報
【特許文献４】特開２００４−１５４９３５号公報
【考案の概要】
【考案が解決しようとする課題】
【０００９】
しかしながら、これら特許文献１に示す蛍光灯交換具、特許文献２に示す蛍光灯交換装置、特許文献３に示す蛍光灯交換具、及び特許文献４に示す蛍光灯脱着具にあっては、以下の課題があった。
即ち、特許文献１に示す蛍光灯交換具、特許文献２に示す蛍光灯交換装置、及び特許文献３に示す蛍光灯交換具の場合、蛍光灯を点灯器具に取付けるときに蛍光灯の中心軸の長手鉛直方向位置をソケットの中心軸の長手鉛直方向位置に位置合わせする部材がない。特許文献１に示す蛍光灯交換具では、ソケット支持部について記載されているが、そのソケット支持部が、蛍光灯を点灯器具に取付けるときに蛍光灯の中心軸の長手鉛直方向位置をソケットの中心軸の長手鉛直方向位置に適切に位置合わせする機能については説明されていない。
【００１０】
一方、特許文献４に示す蛍光灯脱着具の場合、蛍光灯を点灯器具に取付けるときに蛍光灯の中心軸の長手鉛直方向位置をソケットの中心軸の長手鉛直方向位置に位置合わせするソケットガイドが設けられている。
しかしながら、このソケットガイドは、割り込み具の割り込み片が蛍光灯とソケットとの間に割り込んだ後に、蛍光灯の中心軸の長手鉛直方向位置をソケットの中心軸の長手鉛直方向位置に位置合わせするようになっているため、その長手鉛直方向位置の位置合わせがうまくいかずに地上から蛍光灯交換装置を操作して蛍光灯の端子をソケットに接続するのが困難であった。
【００１１】
従って、本考案はこの従来の課題を解決するためになされたものであり、その目的は、蛍光灯の点灯器具への取付け時に、蛍光灯のソケットに対する長手鉛直方向位置の位置合わせを適切に行うことで、蛍光灯の端子をソケットに地上から容易かつ簡単に接続することができる、蛍光灯を点灯器具に取付け及び取外しする際に使用する蛍光灯交換装置を提供することにある。
【課題を解決するための手段】
【００１２】
上記課題を解決するために、本考案の一態様に係る蛍光灯交換装置は、蛍光灯を点灯器具に取付け及び取外しする時に使用する蛍光灯交換装置であって、操作杆、該操作杆の上端側に設けられ、前記蛍光灯を把持する蛍光灯把持部、及び該蛍光灯把持部を遠隔操作する把持部操作部を有する交換装置本体と、該交換装置本体の前記蛍光灯把持部に固定され、前記蛍光灯の前記点灯器具への取付け及び前記蛍光灯の前記点灯器具からの取外しを行う取付け取外し機構とを備え、該取付け取外し機構は、前記蛍光灯把持部に固定された前記蛍光灯の長手方向に延びる長手部分及び該長手部分から長手鉛直方向に延びる長手鉛直部分を有する取付け部材と、該取付け部材の長手部分に回転可能に取付けられ、前記蛍光灯の取付け時及び取外し時に前記蛍光灯と前記点灯器具のソケットとの間に割り込む割り込み部材と、該割り込み部材に連結されて前記割り込み部材の回転を遠隔操作する操作部材と、前記取付け部材の長手鉛直部分に設けられた支持部に上下動可能に取り付けられ、前記蛍光灯の取付け時に前記割り込み部材が前記蛍光灯と前記点灯器具のソケットとの間に割り込む前に、前記蛍光灯の中心軸の長手鉛直方向位置を前記ソケットの中心軸の長手鉛直方向位置に位置合わせする長手鉛直方向位置決め部材とを備えることを要旨とする。
【考案の効果】
【００１３】
本考案に係る蛍光灯交換装置によれば、蛍光灯の取付け時に割り込み部材が蛍光灯と点灯器具のソケットとの間に割り込む前に、蛍光灯の中心軸の長手鉛直方向位置をソケットの中心軸の長手鉛直方向位置に位置合わせするようにして、蛍光灯の端子をソケットに地上から容易かつ簡単に接続することができる、蛍光灯を点灯器具に取付け及び取外しする際に使用する蛍光灯交換装置を提供できる。
【図面の簡単な説明】
【００１４】
【図１】本考案の一実施形態に係る蛍光灯交換装置の正面図である。但し、図１においては、蛍光灯把持部に把持された蛍光灯を一点鎖線で示してある。
【図２】図１に示す蛍光灯交換装置の右側面図である。但し、図２においては、蛍光灯把持部に把持された蛍光灯、ソケット支持部、及びソケットが一点鎖線で示されている。
【図３】図１における３−３線に沿う断面図である。
【図４】図１における４−４線に沿う断面図である。
【図５】点灯器具に取り付けられている蛍光灯を取外す時の説明図である。
【図６】点灯器具に取り付けられている蛍光灯を取外す時の説明図である。
【図７】点灯器具に取り付けられている蛍光灯を取外す時の説明図である。
【図８】蛍光灯を点灯器具に取付ける時の説明図である。
【図９】蛍光灯を点灯器具に取付ける時の説明図である。
【図１０】蛍光灯を点灯器具に取付ける時の説明図である。
【図１１】蛍光灯を点灯器具に取付ける時の説明図である。
【考案を実施するための形態】
【００１５】
以下、本考案の一実施形態に係る蛍光灯交換装置について図面を参照して説明する。
以下に示す実施形態は、本考案の技術的思想を具体化するための装置を例示するものであって、本考案の技術的思想は、構成部品の材質、形状、構造、配置等を下記の実施形態に特定するものではない。
また、図面は模式的なものである。そのため、厚みと平面寸法との関係、比率等は現実のものとは異なることに留意すべきであり、図面相互間においても互いの寸法の関係や比率が異なる部分が含まれている。
【００１６】
図１には、本考案の一実施形態に係る蛍光灯交換装置の正面が示され、図２には、図１に示す蛍光灯交換装置の右側面が支援されている。
図１及び図２に示す蛍光灯交換装置１は、蛍光灯Ａを点灯器具Ｂに取付け及び取外しする時に使用するものである（図５乃至図１１参照）。
取付対象の蛍光灯Ａは、直管タイプの蛍光灯であり、長手方向に延びる円筒型のガラス部分Ａ１と、ガラス部分Ａ１の長手方向両端に設けられた一対の口金部分Ａ２とを備えている。口金部分Ａ２の内側には一対の接続端子Ａ３（図４参照）が配置されている。
【００１７】
また、点灯器具Ｂは、天井に取り付けられる長手方向に延在する筐体の長手方向両端に一対のソケットホルダＢ１を備えている。各ソケットホルダＢ１には、プッシュ式のソケットＢ２が支持されている。蛍光灯Ａが点灯器具Ｂに取付けられているときには蛍光灯Ａの接続端子Ａ３がソケットＢ２に接続されている。
そして、蛍光灯交換装置１は、交換装置本体１０と、取付け取外し機構２０とを備えている。
【００１８】
交換装置本体１０は、トッカールエフュー（北洋無線株式会社製）と呼ばれる蛍光灯交換器で、操作杆１１と、操作杆１１の上端側に設けられた蛍光灯把持部１５とを備えている。
操作杆１１は、伸縮自在の棒状部材であり、下端側に作業者が握るグリップ部１２を備えている。また、操作杆１１のグリップ部１２の下方には、蛍光灯把持部１５を遠隔操作する把持部操作部１３が設けられている。蛍光灯把持部１５は、後述するように、空圧ゴム１５ｂにエアーを供給することによって膨張させて蛍光灯Ａのガラス部分Ａ１を把持するものであり、把持部操作部１３は、具体的には、空圧ゴム１５ｂにエアーを供給・遮断する操作を行うためのものである。また、操作杆１１の把持部操作部１３の下方には、ポンプ部１４が設けられている。
【００１９】
また、蛍光灯把持部１５は、長手方向（左右方向）に延びる上方が開口して蛍光灯Ａのガラス部分Ａ１を受容する断面コ字形の蛍光灯受容筐体１５ａを備えている。蛍光灯受容筐体１５ａは、操作杆１１の上端に取付けられる。蛍光灯受容筐体１５ａには、図３に示すように、後壁に設けられた空圧ゴム１５ｂと、前壁に設けられたゴム受け体１５ｃとが備えられている。蛍光灯Ａのガラス部分Ａ１は、空圧ゴム１５ｂとゴム受け体１５ｃとの間に受容される。そして、空圧ゴム１５ｂにエアーを供給することによって空圧ゴム１５ｂを膨張させて当該ガラス部分Ａ１を空圧ゴム１５ｂとゴム受け体１５ｃとで把持する。
【００２０】
また、取付け取外し機構２０は、蛍光灯把持部１５に固定された蛍光灯Ａの長手方向（左右方向）に延びる長手部分２１ａ及該長手部分２１ａから長手鉛直方向（前後方向のうちの後方向）に延びる長手鉛直部分２１ｂを有する取付け部材２１を備えている。取付け部材２１の長手部分２１ａは、蛍光灯Ａの長手方向に細長く伸びる合成樹脂製の長方形状板部材であり、蛍光灯受容筐体１５ａの前壁に固定される。長手鉛直部分２１ｂは、長手部分２１ａの長手方向一端（右端）に当該一端から長手方向に直交する長手鉛直方向（前後方向のうちの後方向）に延びるように取付けられた合成樹脂製の長方形状板部材である。
【００２１】
また、取付け取外し機構２０は、図４に示すように、取付け部材２１の長手鉛直部分２１ｂに設けられた、蛍光灯Ａの取付け時及び取外し時に蛍光灯Ａの長手方向における交換装置本体１０及び取付け取外し機構２０の位置を位置決めする長手方向位置決め部材２７を備えている。
この長手方向位置決め部材２７は、図４に示すように、蛍光灯Ａの口金部分Ａ２の外形と相補的な半円形状を有する上側が開いた開口２７ａを形成した取付け部材２１の長手鉛直部分２１ｂと一体の板部材で構成されている。長手方向位置決め部材２７は、合成樹脂製である。そして、蛍光灯Ａの取付け時及び取外し時に開口２７ａを口金部分Ａ２に沿わせて案内して板部材を蛍光灯Ａのガラス部分Ａ１と口金部分Ａ２との段差Ａ１ａに当接することによって、蛍光灯Ａの長手方向における交換装置本体１０及び取付け取外し機構２０の位置を位置決めするようになっている。
【００２２】
また、取付け取外し機構２０は、取付け部材２１の長手部分２１ａに回転可能に取付けられた、蛍光灯Ａの取付け時及び取外し時に蛍光灯Ａと点灯器具ＢのソケットＢ２との間に割り込む割り込み部材２２を備えている。
具体的に述べると、割り込み部材２２は、取付け部材２１の長手部分２１ａの長手方向他端（左端）側に支軸２２ｅを中心に回転可能に取り付けられた第１リンク２２ａと、第１リンク２２ａのほぼ中央部に固定され、長手方向他端（左端）側に延びる第２リンク２２ｂと、第１リンク２２ａの先端に固定され、蛍光灯Ａの取付け時及び取外し時に蛍光灯Ａと点灯器具ＢのソケットＢ２との間に割り込む楔形状の割り込み部２２ｄとを備えている。第１リンク２２ａ及び第２リンク２２ｂは、金属製であっても、合成樹脂製であってもよい。また、割り込み部２２ｄは、絶縁性を有する合成樹脂製である。
【００２３】
割り込み部２２ｄは、楔形状の板部材で構成され、図４に示すように、板部材の幅方向中心位置と蛍光灯Ａの中心軸ＡＣ、即ち長手方向位置決め部材２７の開口２７ａの中心位置とが長手鉛直方向（前後方向）で一致するように複数の軸部材２２ｃによって長手鉛直方向（前後方向のうち後方向）にオフセットされて第１リンク２２ａの先端に固定されている。割り込み部２２ｄは、第１リンク２２ａの回転に伴って回転するので、長手方向位置決め部材２７と一体の長手鉛直部分２１ｂには、割り込み部２２ｄを回転時に開口２７ａに案内するガイド溝２１ｃが形成されている。
【００２４】
割り込み部２２ｄは、蛍光灯Ａの取外し時に、図５及び図６に示すように、割り込み部２２ｄが下方にある状態で太字の矢印で示す上方向に回転させると、点灯器具Ｂに取付けられている蛍光灯ＡとソケットＢ２との間に割り込み、プッシュ式のソケットＢ２を押動させて蛍光灯Ａの接続端子Ａ３がソケットＢ２から離脱されて接続状態が解除される。この際に、割り込み部２２ｄは、蛍光灯Ａの中心軸ＡＣ、すなわち蛍光灯Ａの長手方向端面における接続端子Ａ３間の中心に当接する。
【００２５】
一方、割り込み部２２ｄは、蛍光灯Ａの取付け時に、割り込み部２２ｄが下方にある状態から上方向に回転させて蛍光灯把持部１５に把持されている蛍光灯Ａの長手方向端面（蛍光灯Ａの長手方向端面における接続端子Ａ３間の中心）に当接させた状態で、図８乃至図１０に示すように、プッシュ式のソケットＢ２に当接させると、即ち、蛍光灯Ａと点灯器具ＢのソケットＢ２との間に割り込ませると、プッシュ式のソケットＢ２が押動して蛍光灯Ａの接続端子Ａ３がソケットＢ２に接続可能な状態となる。この状態で、図１１に示すように、割り込み部２２ｄを太字の矢印で示す下方向に回転させると、割り込み部２２ｄの割り込み状態が解除され、プッシュ式のソケットＢ２が元の状態に戻って蛍光灯Ａの接続端子Ａ３がソケットＢ２に接続される。
【００２６】
また、取付け取外し機構２０は、割り込み部材２２に連結されて割り込み部材２２の回転を遠隔操作する操作部材２３を備えている。操作部材２３は、第１リンク２２ａに取付けられた軸部材２２ｃに取付けられ、割り込み部２２ｄを下方向に回転させる紐で構成される第１操作部材２３ａと、第２リンク２２ｂに取付けられた軸部材２３ｃ（図３参照）に取付けられ、割り込み部２２ｄを上方向に回転させる紐で構成される第２操作部材２３ｂとを備えている。第１操作部材２３ａ及び第２操作部材２３ｂは、地上近傍まで伸びており、作業者が地上から割り込み部材２２の回転を遠隔操作することができる。
【００２７】
更に、取付け取外し機構２０は、取付け部材２１の長手鉛直部分２１ｂに設けられた支持部２５に上下動可能に取り付けられ、蛍光灯Ａの取付け時に割り込み部材２２が蛍光灯Ａと点灯器具ＢのソケットＢ２との間に割り込む前に、蛍光灯Ａの中心軸ＡＣの長手鉛直方向位置をソケットＢ２の中心軸ＢＣの長手鉛直方向位置に位置合わせする長手鉛直方向位置決め部材２４を備えている。
【００２８】
長手鉛直方向位置決め部材２４は、図２に示すように、点灯器具ＢのソケットホルダＢ１の外形と相補的な半円形状を有する上側が開いたガイド用開口２４ｃを形成した長方形状の第１板部分２４ａと、第１板部分２４ａから下方に延び、支持部２５に上下動可能に支持される長方形状の第２板部分２４ｂとを備えている。第１板部分２４ａは、第２板部分２４ｂよりも幅広に形成されて第１板部分２４ａの下縁に一対の肩部２４ｅが形成されている。第１板部分２４ａ及び第２板部分２４ｂは一体に形成された合成樹脂板材である。
【００２９】
そして、長手鉛直方向位置決め部材２４は、第１板部分２４ａに形成されたガイド用開口２４ｃをソケットホルダＢ１の外形に沿わせて案内することで、蛍光灯Ａの中心軸ＡＣ（中心線ＡＣＬ）の長手鉛直方向位置をソケットＢ２の中心軸ＢＣ（中心線ＢＣＬ）の長手鉛直方向位置に位置合わせする。
支持部２５は、取付け部材２１の長手鉛直部分２１ｂから長手鉛直方向位置決め部材２４の第２板部分２４ｂを受容可能な間隔を開けて配置されて長手方向に突出する一対の側壁部２５ｂ、２５ｃと、一対の側壁部２５ｂ、２５ｃを連結する縦壁部２５ａとを備えている。
【００３０】
支持部２５の縦壁部２５ａには、図２に示すように、下縁から上方に向けて直線状に延びるスライド溝２５ｄが形成されている。長手鉛直方向位置決め部材２４の第２板部分２４ｂには、このスライド溝２５ｄ内に配置される軸部２４ｄが設けられている。長手鉛直方向位置決め部材２４の第２板部分２４ｂは、軸部２４ｄがスライド溝２５ｄ内を上下移動することで、その両側が一対の側壁部２５ｂ、２５ｃに沿って上下動する。
【００３１】
また、支持部２５には、長手鉛直方向位置決め部材２４の第２板部分２４ｂを常時上方に向けて付勢するばね部材２６が設けられている。ばね部材２６は、図２に示すように、第２板部分２４ｂに設けられた軸部２４ｄに取付けられた上方に開いた略Ｖ字形に形成され、Ｖ字の部分が支持部２５の一対の側壁部２５ｂ、２５ｃの上縁角部に接触していて、第２板部分２４ｂを常時上方に向けて付勢している。
【００３２】
長手鉛直方向位置決め部材２４の上方への移動は、第２板部分２４ｂに設けられた軸部２４ｄがスライド溝２５ｄの上縁に当接することにより規制され、長手鉛直方向位置決め部材２４の下方への移動は、第１板部分２４ａの下縁に形成された一対の肩部２４ｅが支持部２５の一対の側壁部２５ｂ、２５ｃの上面に当接することで規制される。
このように構成された蛍光灯交換装置１によって、点灯器具Ｂに取付けられた蛍光灯Ａを取外す方法と、地上から蛍光灯Ａを点灯器具Ｂに取付ける方法について、図５乃至図１１を参照して説明する。
【００３３】
先ず、点灯器具Ｂに取付けられた蛍光灯Ａを取外すに際し、作業者は、蛍光灯交換装置１の操作杆１１を握って地上から蛍光灯把持部１５を持ち上げ、図５に示すように、長手方向位置決め部材２７の開口２７ａ（図４参照）を蛍光灯Ａの長手方向一端（図５では右端）にある口金部分Ａ２に沿わせて案内して長手方向位置決め部材２７を蛍光灯Ａのガラス部分Ａ１と口金部分Ａ２との段差Ａ１ａに当接することによって蛍光灯Ａの長手方向における交換装置本体１０及び取付け取外し機構２０の位置を位置決めする。このとき、長手鉛直方向位置決め部材２４のガイド用開口２４ｃ（図２参照）はソケットホルダＢ１の外形に沿って案内される。長手鉛直方向位置決め部材２４は、ソケットホルダＢ１によってその上方への移動は規制されるので、ばね部材２６の付勢力に抗して相対的には下方へ移動する。
【００３４】
これにより、蛍光灯Ａの長手方向における交換装置本体１０及び取付け取外し機構２０の位置が位置決めされるので、割り込み部材２２の長手方向の位置も位置決めされる。このため、後工程において、割り込み部材２２の割り込み部２２ｄを、点灯器具Ｂに取付けられている蛍光灯Ａの長手方向一端と長手方向一端側のソケットＢ２との間に割り込ませるときに、割り込み部２２ｄを、点灯器具Ｂに取付けられている蛍光灯Ａの長手方向一端と長手方向一端側のソケットＢ２との間に確実に割り込ませることができる。
【００３５】
次いで、作業者は、操作杆１１にある把持部操作部１３を操作して蛍光灯把持部１５の空圧ゴム１５ｂにエアーを供給して膨張させ、蛍光灯Ａを蛍光灯把持部１５で把持する。
次いで、作業者は、図５に示すように、第２操作部材２３ｂを下方に引っ張り、割り込み部材２２の割り込み部２２ｄを支軸２２ｅを中心に太字の矢印で示す上方向に回転させる。すると、図６に示すように、割り込み部２２ｄは、点灯器具Ｂに取付けられている蛍光灯Ａの長手方向一端と長手方向一端側のソケットＢ２との間に割り込み、プッシュ式のソケットＢ２が押動され、蛍光灯Ａの長手方向一端側の接続端子Ａ３が長手方向一端側のソケットＢ２から離脱されて接続状態が解除される。
【００３６】
次いで、作業者は、蛍光灯Ａの長手方向他端（図６では右端）側を長手方向他端側のソケットＢ２に押圧しつつ、図６及び図７に示すように、蛍光灯Ａの長手方向他端側を中心に操作杆１１によって蛍光灯把持部１５を介して蛍光灯Ａを下方に向けて回転させる。これにより、蛍光灯Ａの長手方向一端側が長手方向一端側のソケットＢ２から取外される。
次いで、作業者は、図７に示すように、操作杆１１を長手方向一端側（図７において太字の矢印で示す右方向）に移動させて、蛍光灯Ａの長手方向他端側を長手方向他端側のソケットＢ２から取外す。
【００３７】
これにより、点灯器具Ｂに取付けられた蛍光灯Ａを地上から取外すことができる。
また、地上から蛍光灯Ａを点灯器具Ｂに取付けるに際し、作業者は、地上で長手方向位置決め部材２７の開口２７ａを蛍光灯Ａの長手方向一端にある口金部分Ａ２に沿わせて案内して長手方向位置決め部材２７を蛍光灯Ａのガラス部分Ａ１と口金部分Ａ２との段差Ａ２ａに当接することによって蛍光灯Ａの長手方向における交換装置本体１０及び取付け取外し機構２０の位置を位置決めする。
【００３８】
次いで、作業者は、地上で操作杆１１にある把持部操作部１３を操作して蛍光灯把持部１５の空圧ゴム１５ｂにエアーを供給して膨張させ、蛍光灯Ａを蛍光灯把持部１５で把持する。
次いで、作業者は、蛍光灯交換装置１の操作杆１１を握って地上から蛍光灯把持部１５を持ち上げ、図８に示すように、蛍光灯Ａの長手方向他端（図８における左端）側の接続端子Ａ３を長手方向他端側のソケットＢ２に接続する。この際に、作業者は、第２操作部材２３ｂを下方に引っ張り、割り込み部材２２の割り込み部２２ｄを支軸２２ｅを中心に上方向に回転させて、蛍光灯把持部１５に把持されている蛍光灯Ａの端面に当接させておく。
【００３９】
次いで、作業者は、図９及び図１０に示すように、蛍光灯Ａの長手方向他端側を長手方向他端側のソケットＢ２に押圧しつつ、蛍光灯Ａの長手方向他端側を中心に操作杆１１によって蛍光灯把持部１５を介して蛍光灯Ａを上方に向けて回転させる。すると、割り込み部材２２の割り込み部２２ｄが蛍光灯Ａの長手方向一端と長手方向一端側のソケットＢ２との間に割り込み、プッシュ式のソケットＢ２が押動して蛍光灯Ａの接続端子Ａ３がソケットＢ２に接続可能な状態となる。
【００４０】
ここで、本実施形態に係る蛍光灯交換装置１にあっては、割り込み部材２２の割り込み部２２ｄが蛍光灯Ａと点灯器具ＢのソケットＢ２との間に割り込む前に、蛍光灯Ａの中心軸ＡＣの長手鉛直方向位置をソケットＢ２の中心軸ＢＣの長手鉛直方向位置に位置合わせする長手鉛直方向位置決め部材２４が設けられている。
このため、作業者は、割り込み部材２２の割り込み部２２ｄが蛍光灯Ａの長手方向一端と長手方向一端側の点灯器具ＢのソケットＢ２との間に割り込む前に、図９に示すように、蛍光灯把持部１５を持ち上げたときに長手鉛直方向位置決め部材２４によって蛍光灯Ａの中心軸ＡＣ（図２参照）の長手鉛直方向位置を長手方向一端側のソケットＢ２の中心軸ＢＣの長手鉛直方向位置に位置合わせすることができる。つまり、長手鉛直方向位置決め部材２４の第１板部分２４ａに形成されたガイド用開口２４ｃをソケットホルダＢ１の外形に沿わせて案内することで、蛍光灯Ａの中心軸ＡＣの長手鉛直方向位置をソケットＢ２の中心軸ＢＣの長手鉛直方向位置に位置合わせすることができる。
【００４１】
これにより、割り込み部２２ｄが蛍光灯Ａの長手方向一端と長手方向一端側の点灯器具ＢのソケットＢ２との間に割り込む前に、蛍光灯ＡのソケットＢ２に対する長手鉛直方向位置の位置合わせを適切に行うことができ、割り込み部２２ｄが蛍光灯Ａと点灯器具ＢのソケットＢ２との間に割り込んだときに、蛍光灯Ａの中心軸ＡＣとソケットＢ２の中心軸ＢＣとが一致し、蛍光灯交換装置１を操作して蛍光灯Ａの接続端子Ａ３をソケットＢ２に接続するのを容易かつ簡単に行うことができることになる。
【００４２】
割り込み部２２ｄが蛍光灯Ａの長手方向一端と長手方向一端側の点灯器具ＢのソケットＢ２との間に割り込む前から当該間に割り込むときには、図９及び図１０に示すように、交換装置本体１０及び取付け取外し機構２０は、上に持ちあがるが、長手鉛直方向位置決め部材２４はソケットホルダＢ１によってその上方への移動が規制されるため、支持部２５に沿って相対的に下方へ移動する。
【００４３】
ここで、長手鉛直方向位置決め部材２４の第２板部分２４ｂは、ばね部材２６によって常時上方に向けて付勢されているため、長手鉛直方向位置決め部材２４は支持部２５に沿って相対的に下方へ移動する際に、ばね部材２６の付勢力に抗して移動することになる。そして、ガイド用開口２４ｃを形成した第１板部分２４ａもばね部材２６によって常時上方に向けて付勢されているので、ガイド用開口２４ｃをソケットホルダＢ１の外形に沿わせて案内する際にガイド用開口２４ｃが不用意に下降したりせずに確実にガイド用開口２４ｃをソケットホルダＢ１の外形に沿わせて案内することができ、蛍光灯Ａの中心軸ＡＣの長手鉛直方向位置をソケットＢ２の中心軸ＢＣの長手鉛直方向位置に位置合わせすることができる。
【００４４】
そして、割り込み部材２２の割り込み部２２ｄが蛍光灯Ａの長手方向一端と長手方向一端側の点灯器具ＢのソケットＢ２との間に割り込み、蛍光灯Ａの接続端子Ａ３がソケットＢ２に接続可能な状態となってから、作業者は、図１１に示すように、地上から第１操作部材２３ａを下方に引っ張り、割り込み部２２ｄを太字の矢印で示す下方向に回転させる。すると、割り込み部２２ｄの割り込み状態が解除され、プッシュ式のソケットＢ２が元の状態に戻って蛍光灯Ａの長手方向一端側の接続端子Ａ３が長手方向一端側のソケットＢ２に接続される。
【００４５】
最後に、作業者は、地上で操作杆１１にある把持部操作部１３を操作して蛍光灯把持部１５の空圧ゴム１５ｂにエアーを供給するのを遮断して蛍光灯Ａの把持状態を解除し、蛍光灯交換装置１を退かせば良い。
これにより、蛍光灯Ａを地上から点灯器具Ｂに取付けることができる。
なお、長手方向位置決め部材２７は、蛍光灯Ａの口金部分Ａ２の直径の大きさに対応して直径のことなる開口２７ａを有する長手方向位置決め部材２７に交換すればよい。
【００４６】
また、長手鉛直方向位置決め部材２４は、ソケットホルダＢ１の外形の直径の大きさに対応して直径の異なるガイド用開口２４ｃを有する長手鉛直方向位置決め部材２４に交換すればよい。
本実施形態に係る蛍光灯交換装置１によれば、取付け部材２１の長手鉛直部分２１ｂに設けられた支持部２５に上下動可能に取り付けられ、蛍光灯Ａの取付け時に割り込み部材２２が蛍光灯Ａと点灯器具ＢのソケットＢ２との間に割り込む前に、蛍光灯Ａの中心軸ＡＣの長手鉛直方向位置をソケットＢ２の中心軸ＢＣの長手鉛直方向位置に位置合わせする長手鉛直方向位置決め部材２４を備えている。
【００４７】
これにより、蛍光灯Ａの点灯器具Ｂへの取付け時に、蛍光灯Ａの取付け時に割り込み部材２２が蛍光灯Ａと点灯器具ＢのソケットＢ２との間に割り込む前に、蛍光灯Ａの中心軸ＡＣの長手鉛直方向位置をソケットＢ２の中心軸ＢＣの長手鉛直方向位置に位置合わせするようにして、蛍光灯Ａの接続端子Ａ３をソケットＢ２に地上から容易かつ簡単に接続することができる、蛍光灯Ａを点灯器具Ｂに取付け及び取外しする際に使用する蛍光灯交換装置１を提供できる。
【００４８】
また、本実施形態に係る蛍光灯交換装置１によれば、長手鉛直方向位置決め部材２４は、点灯器具ＢのソケットホルダＢ１の外形と相補的な形状を有する上側が開いたガイド用開口２４ｃを形成した第１板部分２４ａと、第１板部分２４ａから下方に延び、支持部２５に上下動可能に支持される第２板部分２４ｂとを備えている。そして、第１板部分２４ａに形成されたガイド用開口２４ｃをソケットホルダＢ１の外形に沿わせて案内することで、蛍光灯Ａの中心軸ＡＣの長手鉛直方向位置をソケットＢ２の中心軸ＢＣの長手鉛直方向位置に位置合わせする。
【００４９】
これにより、長手鉛直方向位置決め部材２４を簡単な構成で実現することができる。
また、本実施形態に係る蛍光灯交換装置１によれば、支持部２５に、長手鉛直方向位置決め部材２４の第２板部分２４ｂを常時上方に向けて付勢するばね部材２６を取り付けている。
これにより、第１板部分２４ａに形成されたガイド用開口２４ｃをソケットホルダＢ１の外形に沿わせて案内する際にガイド用開口２４ｃが不用意に下降したりせずに確実にガイド用開口２４ｃをソケットホルダＢ１の外形に沿わせて案内することができ、蛍光灯Ａの中心軸ＡＣの長手鉛直方向位置をソケットＢ２の中心軸ＢＣの長手鉛直方向位置に位置合わせすることができる。
【００５０】
また、本実施形態に係る蛍光灯交換装置１によれば、取付け部材２１の長手鉛直部分２１ｂに、蛍光灯Ａの取付け時及び取外し時に蛍光灯Ａの長手方向における交換装置本体１０及び取付け取外し機構２０の位置を位置決めする長手方向位置決め部材２７を設けてある。
これにより、蛍光灯Ａの取付け時及び取り外し時に割り込み部材２２の長手方向の位置も位置決めされ、割り込み部材２２を、点灯器具Ｂに取付けられている蛍光灯ＡとソケットＢ２との間に割り込ませるときに、割り込み部材２２を、点灯器具Ｂに取付けられている蛍光灯ＡとソケットＢ２との間に確実に割り込ませることができる。
【００５１】
また、本実施形態に係る蛍光灯交換装置１によれば、長手方向位置決め部材２７は、蛍光灯Ａの口金部分Ａ２の外形と相補的な形状を有する上側が開いた開口２７ａを形成した板部材で構成され、開口２７ａを口金部分Ａ２に沿わせて案内して板部材を蛍光灯Ａのガラス部分Ａ１と口金部分Ａ２との段差に当接することによって、蛍光灯Ａの長手方向における交換装置本体１０及び取付け取外し機構２０の位置を位置決めする。
【００５２】
これにより、簡単な構成の長手方向位置決め部材２７によって蛍光灯Ａのガラス部分Ａ１と口金部分Ａ２との段差を利用して蛍光灯Ａの長手方向における交換装置本体１０及び取付け取外し機構２０の位置を位置決めすることができる。
以上、本考案の実施形態について説明してきたが、本発明はこれに限定されずに種々の変更、改良を行うことができる。
【００５３】
例えば、交換装置本体１０及び取付け取外し機構２０を構成する取付け部材２１、割り込み部材２２、操作部材２３、長手鉛直方向位置決め部材２４、長手方向位置決め部材２７は、図示した例に限られない。
また、長手方向位置決め部材２７は、取付け部材２１の長手鉛直部分２１ｂと一体の板部材で構成されているが、長手方向位置決め部材２７は、取付け部材２１の長手鉛直部分２１ｂと別体の部材で構成されていてもよい。
【００５４】
また、長手鉛直方向位置決め部材２４のガイド用開口２４ｃは、ソケットホルダＢ１の外形と相補的な半円形状の上側が開いた形状となっているが、これに限らず、例えば、上側が開いたＶ字形状の開口であってもよい。
【符号の説明】
【００５５】
１  蛍光灯交換装置
１０  交換装置本体
１１  操作杆
１２  グリップ部
１３  把持部操作部
１４  ポンプ部
１５  蛍光灯把持部
１５ａ  蛍光灯受容筐体
１５ｂ  空圧ゴム
１５ｃ  ゴム受け体
２０  取付け取外し機構
２１  取付け部材
２１ａ  長手部分
２１ｂ  長手鉛直部分
２１ｃ  ガイド溝
２２  割り込み部材
２２ａ  第１リンク
２２ｂ  第２リンク
２２ｃ    軸部材
２２ｄ  割り込み部
２２ｅ  支軸
２３  操作部材
２３ａ  第１操作部材
２３ｂ  第２操作部材
２３ｃ  軸部材
２４  長手鉛直方向位置決め部材
２４ａ  第１板部分
２４ｂ  第２板部分
２４ｃ  ガイド用開口
２４ｄ  軸部
２４ｅ  肩部
２５  支持部
２５ａ  縦壁部
２５ｂ  側壁部
２５ｃ  側壁部
２５ｄ  スライド溝
２６  ばね部材
２７  長手方向位置決め部材
２７ａ  開口
Ａ  蛍光灯
Ａ１  ガラス部分
Ａ２  口金部分
Ａ３  接続端子
Ｂ  点灯器具
Ｂ１  ソケットホルダ
Ｂ２  ソケット
【図１】
0003232575.tif 000003
【図２】
0003232575.tif 000004
【図３】
0003232575.tif 000005
【図４】
0003232575.tif 000006
【図５】
0003232575.tif 000007
【図６】
0003232575.tif 000008
【図７】
0003232575.tif 000009
【図８】
0003232575.tif 000010
【図９】
0003232575.tif 000011
【図１０】
0003232575.tif 000012
【図１１】
0003232575.tif 000013